(57)【要約】【課題】  スポンジ束子で洗って残る汚れをブラシに持ち変えて洗う二度手間の不便を解消する。【解決手段】  スポンジ全体をネットで覆うネットの一部に繊維束を装着する形状の繊維束は、合成樹脂繊維複数本の一端を溶着又は接着剤で固着して繊維束にして、その繊維束複数束の束ねた部分を合成樹脂繊維糸で曲折自在に繋いで連結繊維束にして。前記連結繊維束の連結部分と円筒ネットの端を縫製してから円筒ネットを裏返して円筒ネットの表を出すことにより連結繊維束の連結部分が円筒ネットの内側になり連結繊維束の連結されていない部分が円筒ネットの外に出てブラシ状になって、その円筒ネットの他端よりスポンジを挿入してから円筒ネット端を縫製する。【選択図】図１
2013212350.tif 000002
【特許請求の範囲】
【請求項１】
ネットスポンジ束子において、スポンジをネットで覆うネットスポンジ束子のネット又はスポンジの少なくともいずれか一方に繊維束が装着されていると共に、前記ネットスポンジ束子の少なくとも一面から繊維束の一端がネットの外側に出ていることを特徴とするネットスポンジ束子。
【請求項２】
ネットスポンジ束子において、スポンジ全体に又はスポンジの一部を残してネットで覆い、そのネットの一部に装着された繊維束の一端がネットの外側に出ていることを特徴とする請求項１に記載のネットスポンジ束子。
【請求項３】
前記ネットスポンジ束子のスポンジを覆うネットに開口部を有するスポンジ束子のスポンジの一部より他の一部間に繊維束が直行挿入して装着されていることを特徴とする請求項１又は請求項２のいずれかに記載のネットスポンジ束子。
【請求項４】
前記ネットスポンジ束子の、スポンジの一部を切り込み口にして、前記繊維束の巾で繊維束の長さにより数ミリ短く切り込んで、その切り込みに繊維束が挿入して装着されていることを特徴とする請求項1乃至請求項３のいずれかに記載のネットスポンジ束子。
【請求項５】
前記ねっとスポンジ束子のスポンジを覆うネットに、開口部を有するネットスポンジ束子の、立方体スポンジの対向する面の角部に対角線上に各角部よりスポンジ中心部近く迄開けた穴に繊維束が挿入して装着されていることを特徴とする請求項1乃至請求項４のいずれかに記載のネットスポンジ束子。
【請求項６】
ネットスポンジ束子において、ブラシ装着部とスポンジ装着部とから成る柔軟性と収縮性に富んだブラシ装着台のブラシ装着部にブラシが装着され、スポンジ装着部は二つのスポンジにはさまれていると共に二つのスポンジは接着されていることを特徴とする請求項1乃至請求項５のいずれかに記載のネットスポンジ束子。
【発明の詳細な説明】
【技術分野】
【０００１】
本発明は、主として掃除用、炊事用等に用いるスポンジ束子及びネットスポンジ束子に関するものである。
【背景技術】
【０００２】
従来ブラシ付きスポンジとして、特許文献１、特許文献２、特許文献３、特許文献４、特許文献５に記載のものが知られているが、これらのブラシ付きスポンジ束子ではスポンジにブラシや繊維束が接着又は固着又は固定されているものである。
【先行技術文献】
【特許文献】
【０００３】
【特許文献１】特開２００２−１１２８３６号公報
【特許文献２】特開昭６２−１２０８３１号広報
【特許文献３】登録実用新案３０８５０２２号広報
【特許文献４】登録実用新案３１６０１４６号広報
【特許文献５】特開２００２−１２５９０７号広報
【特許文献６】特開平１−１８５２３４号広報
【発明の概要】
【０００４】
スポンジ全体をネットで覆うネットスポンジ束子のネットの一部に繊維束を装着する形状の繊維束は、合成樹脂繊維複数本の一端を繊維で束ねる、或いは合成樹脂繊維複数本の一端を溶着又は接着剤で固着して繊維束にする、或いは合成樹脂繊維複数本をＶ字状にして、折り曲げ部分を溶着又は接着剤で固着し繊維束にして、その繊維束複数束の束ねた部分を合成樹脂繊維糸で曲折自在に繋いで連結繊維束とする、或いは合成樹脂に複数の穴を設け繊維束ケースにして、合成樹脂繊維複数本をＶ字状にし、折り曲げ部分を繊維束ケースの穴に装着し小ブラシにして繊維束ケースを連結する。
【０００５】
前記連結繊維束又は繊維束ケースの連結部分と裏返した円筒ネットの一端を一緒に縫製してから円筒ネットを裏返して、円筒ネットの表を出すことにより連結繊維束の連結部分が円筒ネットの内側になり連結繊維束の連結されていない部分が円筒ネットの外に出てブラシ状になって、その円筒ネットの他端よりスポンジを挿入してから円筒ネット端を縫製する。
【発明が解決しようとする課題】
【０００６】
しかしながら上記従来のブラシスポンジ束子では、スポンジにブラシや繊維束が接着又は固着又は固定されていて、スポンジ束子本来持つ柔軟性が阻害されスポンジ部分を使用しで洗う場合ブラシが邪魔になり洗いにくい、スポンジに含まれた洗剤を絞る場合手にブラシがあたる、奇麗に絞りきれない、スポンジからブラシが外れる等の解決すべき課題があった。
【０００７】
前記の問題点に加えて、スポンジにブラシや繊維束を接着又は固着又は固定する場合にスポンジを切り欠くことにおいてスポンジ部分を使用しで洗うことに不適等な形状に成っている、と共に洗う実行面積にも課題が生まれてしまっている。
【０００８】
本発明は、上述の事情に鑑みてなされたものであり食器洗い等に良好なスポンジ束子を提供することを課題とする。
【課題を解決するための手段】
【０００９】
本願発明の請求項１は、ネットスポンジ束子において、スポンジをネットで覆うネットスポンジ束子のネット又はスポンジの少なくともいずれか一方に繊維束が装着されていると共に、前記ネットスポンジ束子の少なくとも一面から繊維束の一端がネットの外側に出ているネットスポンジ束子。
【００１０】
本願発明の請求項２は、ネットスポンジ束子において、スポンジ全体に又はスポンジの一部を残してネットで覆い、そのネットの一部に装着された繊維束の一端がネットの外側に出ているネットスポンジ束子。
【００１１】
本願発明の請求項３は、前記ネットスポンジ束子のスポンジを覆うネットに開口部を有し、スポンジの一部より他の一部間に繊維束が直行挿入して装着されているネットスポンジ束子である。
【００１２】
本願発明の請求項４は、前記ネットスポンジ束子の、スポンジの一部を切り込み口にして、前記繊維束の巾で繊維束の長さにより数ミリ短く切り込んで、その切り込みに繊維束が挿入して装着されているネットスポンジ束子である。
【００１３】
本願発明の請求項５は、前記ネットスポンジ束子のスポンジを覆うネットに、複数個所の開口部を有し、立方体スポンジの対向する面の角部に対角線上に各角部よりスポンジ中心部近く迄開けた穴に繊維束が挿入して装着されているネットスポンジ束子である。
【００１４】
本願発明の請求項６は、ネットスポンジ束子において、ブラシ装着部とスポンジ装着部とから成る柔軟性と収縮性に富んだブラシ装着台のブラシ装着部にブラシが装着され、スポンジ装着部は二つのスポンジにはさまれていると共に二つのスポンジは接着されていることを特徴とする請求項1乃至請求項５のいずれかに記載のネットスポンジ束子。
【００１５】
請求項1に対応するスポンジの形状は、スポンジ全体をネットで覆うネットスポンジ束子Aのネットに装着する連結繊維束の形状は、合成樹脂繊維複数本の一端を繊維で束ねる、或いは溶着又は接着剤で固着して繊維束にする、或いは合成樹脂繊維複数本をＶ字状にして、折り曲げ部分を溶着又は接着剤で固着又は繊維で束ねて繊維束にして、その繊維束複数束の束ねた部分を合成樹脂繊維糸で曲折自在に繋いで連結繊維束にする、或いは合成樹脂に複数の穴を設け繊維束ケースにして、合成樹脂繊維複数本をＶ字状にし、折り曲げ部分を繊維束ケースの穴に装着し小ブラシにして繊維束ケースを連結し連結小ブラシにする。
【００１６】
ネットスポンジ束子Ａであるスポンジ全体をネットで覆うネットスポンジ束子の円筒ネットへの連結繊維束又は連結小ブラシの装着方法は、円筒ネットを裏返して裏返した円筒ネット一端の内側に、連結繊維束の一端を円筒ネットの中央方向にして連結繊維束の溶着部と円筒ネット一端揃えて連結繊維束を挿入して、連結繊維束の連結部分と円筒ネットの端から余裕を持って縫製してから円筒ネットを裏返して円筒ネットの表を出すことにより連結繊維束の連結部分が円筒ネットの内側になり連結繊維束の連結されていない部分が円筒ネットの外に出てブラシ状になり、その円筒ネットの他端よりスポンジを挿入してから円筒ネット端を縫製する。
【００１７】
請求項２に対応するスポンジの形状は、ネットスポンジ束子の形状は、合理的で実用的なネットスポンジ束子Ａの直方体などに加えて三角柱形状、円筒形状、星型形状などあり、それら形状のスポンジ全体に又はスポンジの一部を残してネットで覆い、そのネットの一部に装着された繊維束の一端がネットの外側に出ているネットスポンジ束子である。
さらに動物や魚形状スポンジ、花や果実形状スポンジなどにし、それら形状のスポンジ全体に又はスポンジの一部を残してネットで覆いそのネットの一部に装着された繊維束の一端がネットの外側に出ているスポンジ束子である。
【００１８】
前記動物形状スポンジである熊形状スポンジを実施例として、両手を上にあげ足は開いた形状の熊形状スポンジ全体に又はスポンジの一部を残してネットで覆うネットスポンジ束子のネットへの連結繊維束の装着方法は、小連結繊維束を手足の爪の様にネットに装着し小連結繊維束一端をネットの外に出す。
前記魚形状スポンジの実施例として、魚形状スポンジ全体に又はスポンジの一部を残してネットで覆うネットスポンジ束子のネットへの連結繊維束の装着方法は、小連結繊維束を背びれの様にネットに装着し小連結繊維束一端をネットの外に出す。
【００１９】
請求項３に対応するネットスポンジ束子Ｂである円筒ネットでスポンジ覆うネットスポンジ束子の円筒ネットは、円筒ネット両端の一部が閉じられていない円筒ネットにして、円筒ネットに挿入する立方体スポンジの対抗する面間に直行挿入する繊維束は、合成樹脂繊維複数本の中間部分を固着又は溶着或いは合成繊維で束ねる、或いは合成樹脂の両面に複数の穴を設け繊維束ケースにして、合成樹脂繊維複数本をＶ字状にし、折り曲げ部分を繊維束ケースの穴に装着し繊維束にし、繊維束周囲数本を固着部分又は繊維束ケースまぎわから起こし固着部分又は繊維束ケースから数ミリ残して切り落とし銛の矢尻の反し形状の脱落防止爪にして、立方体スポンジの対抗する面間に直行する複数の穴を開けその穴に繊維束を挿入してスポンジ面より数ミリ出して切り落とし繊維束スポンジとする。
【００２０】
前記繊維束スポンジの繊維束は、繊維束端周囲のスポンジ面の耐圧よりも、繊維束端の耐圧が勝る繊維束を使用している。
【００２１】
ネットスポンジ束子Ｂの円筒ネット端が閉じられていないネットスポンジ束子の前記繊維束スポンジの円筒ネットへの挿入は、円筒ネット一端の開口部を繊維束スポンジの繊維束先端が突出する面の面積より狭めて縫製し、円筒ネットの他端より繊維束スポンジの繊維束先端を円筒ネット開口部より出し挿入して、繊維束スポンジを挿入した円筒ネット端を繊維束スポンジの繊維束先端が突出する面の面積より狭めた形状に縫製して、繊維束スポンジの繊維束先端を円筒ネット開口部より突出させる。
【００２２】
ネットスポンジ束子Bのスポンジを熊形状スポンジにした実施例として、両手を開いた熊形状への連結繊維束の装着方法は、両手先間より長い繊維束を両手先間に装着し、手先より繊維束端を出して繊維束を切り欠いて、熊形状スポンジを覆うネットは、ネットより手先が出る様にネットに開口部を設けて、熊形状スポンジの両手先をネットに設けた開口部より出して装着する。
【００２３】
請求項４に対応するネットスポンジ束子Ｃである円筒ネットでスポンジ覆うネットスポンジ束子の、円筒ネットの一端の一部が閉じられていないスポンジ束子のスポンジに挿入する前記連結繊維束は、連結繊維束一端周囲の合成樹脂繊維復数本を溶着部分より起こして溶着部より数ミリ残して切り欠き返し形状の脱落防止爪にして、スポンジの一面より連結繊維束の巾で連結繊維束の長さより若干短くニクロム線カッターなどにより切り込みを入れて、その切り込みに連結繊維束を連結繊維束の溶着部分が奥に入る様に挿入することで連結繊維束の一端がブラシ状にスポンジ面より出て、ブラシ状に出た連結繊維束の上又は下のスポンジのいずれか一方を三角柱Ｂに切り落とし連結繊維束スポンジとする。
【００２４】
前記連結繊維束スポンジは、連結繊維束の耐圧がスポンジの耐圧よりも勝る繊維束を使用している。  
ネットスポンジ束子Ｃであるスポンジ束子の円筒ネットへの連結繊維束スポンジの挿入は、円筒ネットのー端を連結繊維束の巾より若干長く開口部を設けて縫製し、円筒ネットの他端より開口部から連結繊維束スポンジの連結繊維束端を出して挿入して、挿入口を縫製する。
【００２５】
請求項５に対応するネットスポンジ束子Ｄであるネットスポンジ束子のスポンジへの繊維束の装着は、合成樹脂繊維の複数本の一端を溶着又は接着剤で固着し繊維束にし、繊維束周囲の合成樹脂繊維数本を溶着部分より起こして溶着部より数ミリ残して切り欠き脱落防止爪とすると共に、立方体スポンジの対向する面の角部に複数個の細い穴を開け、又対向する面の角部に対角線上に各角部よりスポンジ中心部近く迄細い穴を開け、開けた穴に繊維束を溶着した一端より挿入しスポンジ角より繊維束端を数ミリ出して切り落として繊維束スポンジとする。
【００２６】
ネットスポンジ束子Ｄであるネットスポンジ束子の円筒ネットへの繊維束スポンジの装着は、円筒ネットのー端に複数個所の開口部を設けて、円筒ネットの他端より繊維束スポンジを繊維束スポンジの繊維束端が複数個所の開口部より出して挿入し、挿入口に複数個所の開口部を設けて開口部より繊維束端を出して縫製する。
【００２７】
熊形状スポンジを覆うネットスポンジ束子Dのスポンジの手と足先より体中心方向に開けた穴に繊維束を挿入し手足先より繊維束端を出して切り欠き、ネットの手足部分は開けて、開けた部分より繊維束をネットの外に出す。
【００２８】
請求項６に対応するネットスポンジ束子Eは、合成樹脂であるシリコン素材を使用してブラシ装着台を形成し、ブラシ装着台は小繊維束を合成樹脂に装着した小ブラシをブラシ装着台に装着するブラシ装着部分と、二つのスポンジにはさまれスポンジを装着するスポンジ装着部から成っていて、ブラシ装着部にブラシを装着し、スポンジ装着部を二つのスポンジではさみ二つのスポンジを接着して、ネットはブラシの一端をネットの外にだす形状に形成してスポンジに装着する。
ブラシ装着台とブラシを一体に合成樹脂であるシリコン素材を使用して形成する。
【発明の効果】
【００２９】
ネットスポンジ束子Ａであるスポンジ全体をネットで覆うネットスポンジ束子のネットの一部に連結繊維束を装着する形状の連結繊維束の束ねた部分を合成樹脂繊維糸で曲折自在に繋いでいることにおいて、食器細部の汚れを落すことが出来ると共に、ネットスポンジ束子に付着した汚れを落すさいにネットスポンジ束子を握り絞っても連結繊維束がスポンジの変形に沿って曲がり絞り易く又手に連結繊維束があたらない。
【００３０】
円筒ネットでスポンジ全体を覆うネットスポンジ束子の円筒ネットから繊維束先端が突出されていることにおいて、ネットスポンジ束子をブラシに持ち変えることなしにネットスポンジ束子の繊維束先端を食器の細部に押し当て細部の汚れを落すことが出来る。
【００３１】
連結繊維束の連結部分と円筒ネットの端から余裕を持った内側を縫製してから円筒ネットを裏返して円筒ネットの表を出すことにおいて、円筒ネット端が円筒ネット内に折りたたまれた形状をなして連結繊維束端を合成樹脂容器の蓋と器本体との接合溝に押し当て洗う場合に、円筒ネット端が邪魔にならず連結繊維束端が溝深くはいって効果的に汚れを落とすことができると共に連結繊維束のぐらつきが少なくなり洗い易い。
【００３２】
ネットスポンジ束子Ｂであるネットスポンジ束子の円筒ネット端の一部が閉じられていない立方体スポンジの対抗する面間に繊維束が直行挿入すされていることにおいて、ネットスポンジ束子を握り絞っても手に繊維束端が手にあたらない。
【００３３】
ネットスポンジ束子の円筒ネット端の一部が閉じられていない立方体スポンジの対抗する面間の穴に繊維束が接着されずに脱落防止爪により留められていると共に、繊維束端周囲のスポンジ面に掛かるスポンジの耐圧よりも繊維束端に掛かる繊維束の耐圧が勝る繊維束を使用していることにおいて、繊維束端を合成樹脂容器の深い溝に押し当てた場合繊維束端周囲のスポンジが後退し繊維束端が長く出て合成樹脂容器の深い溝奥迄洗える。
【００３４】
ネットスポンジ束子Ｃである円筒ネットでスポンジ覆うネットスポンジ束子の円筒ネット端の一部が閉じられていないスポンジ束子のスポンジに挿入する連結繊維束は、前記連結繊維束周囲の合成樹脂繊維復数本を溶着部分より起こして溶着部より数ミリ残して切り欠き返し形状の脱落防止爪にしてあることにおいて、スポンジの切り込みより連結繊維束が脱落することを防止できる。
【００３５】
連結繊維束スポンジは、連結繊維束の耐圧がスポンジの耐圧よりも勝る繊維束を使用していると共に、スポンジと連結繊維束は接着されていないことにおいて、連結繊維束端を合成樹脂容器の深い溝に押し当てた場合連結繊維束端周囲のスポンジが後退し連結繊維束端が長く出て合成樹脂容器の深い溝奥迄洗える。
【００３６】
ネットスポンジ束子Ｄであるネットスポンジ束子の円筒ネットの角々より繊維束端が出ていることにおいて、枠付き硝子の清掃時に枠と硝子を留めているパテとパテにつづく硝子や枠の角に繊維束端があたり易い。
【００３７】
ネットスポンジ束子Ｂと、ネットスポンジ束子Cと、ネットスポンジ束子Dはスポンジに繊維束を装着しネットで覆うことなしに使用できる。
【００３８】
ネットスポンジ束子Eは、リコン素材を使用して形成されたブラシ装着台のスポンジ装着部を二つのスポンジにはさんで二つのスポンジを接着し装着したことにおいて、ネットスポンジ束子Eを握り汚れを落とす場合に、二つのスポンジにはさまれたブラシ装着台はシリコン素材の柔らかく又伸びる特性によりスポンジに同化して手に違和感をあたえない。
【００３９】
ブラシはシリコン素材を使用して形成されたブラシ装着台のブラシ装着部に装着したことにおいて、シリコン素材の特徴によりブラシ台よりブラシが外れることはない。
【図面の簡単な説明】
【００４０】
【図１】ネットスポンジ束子Ａ（１）の斜視図。
【図２】ネットスポンジ束子Ａ（１）の平面図、Ａ−Ａ切断線を示す。
【図３】図２のＡ−Ａ線切断部端面図を示す。
【図４】ネットスポンジ束子Ｂ（７）の平面図、Ｂ−Ｂ切断線端面図。
【図５】ネットスポンジ束子Ｂ（７）の右側面図と左側面図。
【図６】図４のＢ−Ｂ線切断部端面図。
【図７】繊維束（１１）の斜視図。
【図８】ネットスポンジ束子Ｃ（１４）の斜視図。
【図９】ネットスポンジ束子Ｃ（１４）のイメージ図。
【図１０】ネットスポンジ束子Ｄ（２１）の斜視図。
【図１１】ネットスポンジ束子Ｄ（２１）のイメージ図。
【図１２】魚形形状スポンジを覆うネットに連結繊維束端（４）が装着されたイメージ図。
【図１３】飴玉形状のスポンジに繊維束（１１）が貫通装着されたイメージ図。
【図１４】ネットスポンジ束子E（２８）の斜視図。
【図１５】ブラシ装着台（２９）の正面図。
【図１６】ブラシ装着台（２９）の左右側面図。
【図１７】ブラシ装着台（２９）の平面図。
【発明を実施するための形態】
【００４１】
以下図面に基づき説明する。
ネットスポンジ束子Ａ（１）であるスポンジ（２）全体をネット（３）で覆うネットスポンジ束子Ａ（１）のネット（３）に装着する連結繊維束（４）の形状は、合成樹脂繊維複数本の一端を繊維で束ねる、或いは溶着又は接着剤で固着して繊維束にする、或いは合成樹脂繊維複数本をＶ字状にして、折り曲げ部分を溶着又は接着剤で固着又は繊維で束ねて小繊維束にして、その繊維束複数束の溶着部（５）と溶着されていない合成樹脂繊維との境を合成樹脂繊維糸で曲折自在に繋いで連結繊維束（４）にする、或は溶着部（５）の溶着部（５）横部を曲折自在繋いだ形状の串団子形状の繊維束埋め込みケースを合成樹脂で成型して、そのケースに合成樹脂繊維を埋め込んで連結繊維束にする。
【００４２】
ネットスポンジ束子Ａ（１）であるスポンジ全体をネット（３）で覆うネットスポンジ束子のネット（３）が円筒形状である円筒ネット（３）への連結繊維束（４）の装着方法は、円筒ネット（３）を裏返して裏返した円筒ネット（３）内側に、連結繊維束（４）の一端を円筒ネット（３）中央方向にして連結繊維束（４）の溶着部（５）と円筒ネット（３）一端を揃えて連結繊維束（４）を挿入して、連結繊維束（４）の連結部（６）と円筒ネット（３）はしから余裕を持って縫製してから円筒ネット（３）を裏返して円筒ネット（３）の表を出すことにより連結繊維束（４）溶着部（５）が円筒ネット（３）の内側になり連結繊維束（４）の連結されていない部分が円筒ネット（３）の外に出てブラシ状になって、その円筒ネット（３）の他端よりスポンジを挿入してから円筒ネット（３）端を縫製する。
【００４３】
請求項２に対応するネットスポンジ束子Ｂ（７）である円筒ネット（８）両端の一部に開口部（９）を有する円筒ネット（８）でスポンジ（１０）覆うスポンジ束子の、立方体スポンジ（１０）の対抗する面間に直行挿入する繊維束（１１）は、合成樹脂繊維複数本の中間部分を固着又は溶着或いは合成繊維で束ねて繊維束（１１）にし、繊維束（１１）周囲数本を固着部（１２）から起こし固着部（１２）から数ミリ残して切り落とし銛の矢尻の反し形状の脱落防止爪（１３）にして、立方体スポンジ（１０）の対抗する面間に直行する複数の穴を開けその穴に繊維束（１１）を挿入してスポンジ（１０）面より数ミリ出して切り落とし繊維束（１１）スポンジ（１０）とする。
【００４４】
ネットスポンジ束子Ｂ（７）に使用する繊維束（１１）は、繊維束（１１）端周囲のスポンジ（１０）面に掛かる耐圧に勝る繊維束（１１）束を使用している。
【００４５】
ネットスポンジ束子Ｂ（７）である円筒ネット（８）両端の一部に開口部（９）を有する円筒ネット（８）への前記繊維束（１１）スポンジ（１０）の挿入は、円筒ネット（８）一端の開口部（９）を繊維束（１１）スポンジ（１０）の繊維束（１１）先端が突出する面の面積より狭めて縫製し、円筒ネット（８）の他端より繊維束（１１）スポンジ（１０）の繊維束（１１）先端を円筒ネット（８）開口部（９）より出し挿入して、繊維束（１１）スポンジ（１０）を挿入した円筒ネット（８）端を繊維束（１１）スポンジ（１０）の繊維束（１１）先端が突出する面の面積より狭めた形状に縫製して、繊維束（１１）スポンジ（１０）の繊維束（１１）先端を円筒ネット（８）開口部（９）より突出させる。
【００４６】
請求項３に対応するネットスポンジ束子Ｃ（１４）は、円筒ネット（１５）でスポンジ（１６）を覆う円筒ネット（１５）の一端に開口部（１７）を形成して、開口部（１７）を形成した円筒ネット（１５）に挿入するスポンジ（１６）に装着する連結繊維束（１８）は、連結繊維束（１８）一端周囲の合成樹脂繊維復数本を溶着部（１９）より起こして溶着部（１９）より数ミリ残して切り欠き返し形状の脱落防止爪（２０）にして、スポンジ（１６）の一面より連結繊維束（１８）の巾で連結繊維束（１８）の長さより若干短くニクロム線カッターなどにより切り込みを入れて、その切り込みに連結繊維束（１８）を連結繊維束（１８）の溶着部（１９）が奥に入る様に挿入することで連結繊維束（１８）の一端がブラシ状にスポンジ（１６）面より出て、ブラシ状に出た連結繊維束（１８）の上又は下のスポンジのいずれか一方を三角柱Ｂに切り落とし連結繊維束（１８）スポンジ（１６）とする。
【００４７】
連結繊維束（１８）スポンジ（１６）は、連結繊維束（１８）の耐圧がスポンジ（１６）の耐圧よりも勝る連結繊維束（１６）を使用している。  
ネットスポンジ束子Ｃ（１４）の円筒ネット（１５）への連結繊維束（１８）スポンジ（１６）の挿入は、円筒ネット（１５）のー端を連結繊維束（１８）の巾より若干長く開口部（１７）を設けて縫製し、円筒ネット（１５）の他端より開口部（１７）から連結繊維束（１８）スポンジ（１６）の連結繊維束（１８）端を出して挿入して挿入口を縫製する。
【００４８】
請求項４に対応するネットスポンジ束子Ｄ（２１）のスポンジ（２２）への繊維束（２３）の装着は、合成樹脂繊維の複数本の一端を溶着又は接着剤で固着し繊維束（２３）にし、繊維束（２３）周囲の合成樹脂繊維数本を溶着部（２４）より起こして溶着部（２４）より数ミリ残して切り欠き脱落防止爪（２７）とすると共に、立方体スポンジ（２２）の対向する面の角部に複数個の細い穴を開け、又対向する面の角部に対角線上に各角部よりスポンジ（２２）中心部近く迄細い穴を開け、開けた穴に繊維束（２３）の溶着した一端より挿入しスポンジ角より繊維束（２３）端を数ミリ出して切り落として繊維束（２３）スポンジ（２２）とする。
【００４９】
ネットスポンジ束子Ｄ（２１）の円筒ネット（２６）への繊維束（２３）スポンジ（２２）の装着は、円筒ネット（２６）のー端に複数個所の開口部（２５）を設けて、円筒ネット（２６）の他端より繊維束（２３）スポンジ（２２）を繊維束（２３）スポンジ（２２）の繊維束（２３）端を複数個所の開口部より出して挿入し、挿入口に複数個所の開口部（２５）を設けて開口部より繊維束（２３）端かを出して縫製する。
【００５０】
図１２は、スポンジは魚形形状であって、スポンジを覆うネットの目の部分は刺繍で形成され、背びれ部に連結繊維束端（４）が装着されている。
図１３は、飴玉形状のスポンジに繊維束（１１）が貫通装着され、繊維束（１１）両端をスポンジより若干だしてあり、円筒ネットの両端はきんちゃく形状に縫製されている。
【００５１】
ネットスポンジ束子E（２８）は、合成樹脂であるシリコン素材を使用してブラシ装着台（２９）を形成し、ブラシ装着台（２９）は繊維束を合成樹脂に装着した小ブラシ（３０）をブラシ装着台（２９）に装着するブラシ装着部（３１）と、二つのスポンジ（３２）にはさまれスポンジ（３２）を装着するスポンジ装着部（３３）から成っていて、ブラシ装着部（３１）にブラシ（３０）を装着し、スポンジ装着部（３３）を二つのスポンジ（３２）ではさみ二つのスポンジ（３２）を接着して、ネット（３４）をブラシ（３０）の一端をネット（３４）の外に出す開口部を設けた形状に形成して、ネット（３４）の開口部より繊維束の一端をネット（３４）の外に出してネット（３４）をスポンジ（３２）に装着する。
【産業上の利用可能性】
【００５２】
枠付きガラス扉・食器・調理器具をネットスポンジで洗って洗い残る汚れをネットスポンジからブラシに持ち替える事なしに汚れを洗い落とす事が出来て、手抜きがなくなり衛生面に良い又時間も短縮出来て経済的でもある。
【符号の説明】
【００５３】
１    ネットスポンジ束子Ａ
２    スポンジ
３    ネット
４    連結繊維束
５    溶着部
６    連結部
７    ネットスポンジ束子Ｂ
８    ネット
９    開口部
１０  スポンジ
１１  繊維束
１２  固着部
１３  爪
１４  ネットスポンジ束子Ｃ
１５  ネット
１６  スポンジ
１７  開口部
１８  連結繊維束
１９  溶着部
２０  爪
２１  ネットスポンジ束子Ｄ
２２  スポンジ
２３  繊維束
２４  溶着部
２５  開口部
２６  ネット
２７  爪
２８  ネットスポンジ束子E
２９  ブラシ装着台
３０  ブラシ
３１  ブラシ装着部
３２  スポンジ
３３  スポンジ装着部
３４  ネット
【図１】
2013212350.tif 000003
【図２】
2013212350.tif 000004
【図３】
2013212350.tif 000005
【図４】
2013212350.tif 000006
【図５】
2013212350.tif 000007
【図６】
2013212350.tif 000008
【図７】
2013212350.tif 000009
【図８】
2013212350.tif 000010
【図９】
2013212350.tif 000011
【図１０】
2013212350.tif 000012
【図１１】
2013212350.tif 000013
【図１２】
2013212350.tif 000014
【図１３】
2013212350.tif 000015
【図１４】
2013212350.tif 000016
【図１５】
2013212350.tif 000017
【図１６】
2013212350.tif 000018
【図１７】
2013212350.tif 000019